(57)【要約】各々が接触部と、押受部と、この押受部より内側に突出した突出部を有する第１片と、接続部と支点とを有する第２片と、前記第１片と前記支点とを連結する弾性部を具えてなる多数のコンタクトを有するコネクタ。  前記接続部、弾性部、支点及び接続部がクランク形状に配置されている。  ハウジングには、その天井部の浮き上りを防止する防止壁が形成されている。  ハウジングに回動部材を装着するに当り、回動部材の回転につれてその回転軸が移動する如く装着し、コンパクトの回転を達成するようにする。この構造によって、本コネクタは小形化と低背化を可能とし、かつ安定した電気接続が簡単な操作の僅かな力で可能であり、異常な外力が加わっても接続が損なわれない。
2008510265.tif 000002
【特許請求の範囲】
【請求項１】
接続対象物と接触する少なくとも１個の接触部を有する複数のコンタクトと、該コンタクトが配列・保持されるとともに前記接続対象物が挿入される嵌合口を有するハウジングと、前記コンタクトを弾性変形させて前記接続対象物に押圧する回動部材とを備えるコネクタにおいて、
前記コンタクトは、一端側に前記接続対象物と接触する接触部と他端側に前記回動部材により押圧される押受部と該押受部の先端に内側に突出した突出部とを有する第１片と、一端側に支点部と他端側に基板と接続する接続部とを有する第２片と、前記第１片と前記支点部とを連結する弾性部とを備え、前記接触部と前記弾性部と前記支点部と前記接続部とを略クランク形状に配置し、
前記ハウジングは、前記コンタクトの接触部を被覆する天井部を備え、該天井部の少なくとも両端側には前記接続対象物が不用意に上方向にコジられた際の前記天井部の浮き上がりを防止する防止壁が形成され、
前記回動部材は、回動部材を回動させるための操作部と、回動部材の長手方向に連設した押圧部と、前記押受部が挿入でき前記突出部と係合する別個独立の係止孔とを備え、前記押圧部は前記コンタクトの接続部と押受部との間で回動するように前記ハウジングに装着されているとともに前記押圧部が回動する時はその押圧部の回転軸が移動してコンパクトな回転をすることを特徴とするコネクタ。
【請求項２】
接続対象物と接触する少なくとも１個の接触部を有する複数のコンタクトと、該コンタクトが配列・保持されるとともに前記接続対象物が挿入される嵌合口を有するハウジングと、前記コンタクトを弾性変形させて前記接続対象物に押圧する回動部材とを備えるコネクタにおいて、
前記コンタクトは、交互に反対方向に向いた、千鳥状に配列された２種類のコンタクトより成っており、
一方の前記コンタクトは、それぞれ一端側に前記接続対象物と接触する接触部と他端側に前記回動部材により押圧される押受部とを有する第１片と、一端側に支点部と他端側に基板と接続する接続部とを有する第２片と、前記第１片と前記支点部とを連結する弾性部とを備え、前記接触部と前記弾性部と前記支点部と前記接続部とを略クランク形状に配置し、
もう一方のコンタクトは、それぞれ一端側に前記接続対象物と接触する接触部と他端側に前記回動部材により押圧される押受部とを有する第１片と、一端側に基板と接続する接続部と他端側に支点部とを有する第２片と、前記第１片と前記支点部とを連結する弾性部とを備え、前記接触部と前記弾性部と前記支点部と前記接続部とを略Ｕ字状に配置するとともに少なくとも一方又はもう一方のコンタクトの押受部の先端に内側に突出した突出部を設け、
前記ハウジングは、前記コンタクトの接触部を被覆する天井部を備え、該天井部の少なくとも両端側には前記接続対象物が不用意に上方向にコジられた際の前記天井部の浮き上がりを防止する防止壁が形成され、
前記回動部材は、回動部材を回動させるための操作部と回動部材の長手方向に連設した押圧部と前記押受部が挿入でき前記突出部と係合する別個独立の係止孔とを備え、前記押圧部は一方の前記コンタクトの接続部と押受部との間及びもう一方のコンタクトの押受部と前記ハウジングとの間で回動するように前記ハウジングに装着されているとともに前記押圧部が回動する時はその押圧部の回転軸が移動してコンパクトな回転をすることを特徴とするコネクタ。
【請求項３】
前記回動部材は接続対象物と接触する少なくとも１個の接触部を有する複数のコンタクトと、該コンタクトが配列・保持されるとともに前記接続対象物が挿入される嵌合口を有するハウジングと、前記コンタクトを弾性変形させて前記接続対象物に押圧する回動部材とを備えるコネクタにおいて、
前記コンタクトは、一端側に前記接続対象物と接触する接触部と他端側に前記回動部材により押圧される押受部と該押受部の先端に内側に突出した突出部とを有する第１片と、一端側に支点部と他端側に基板と接続する接続部とを有する第２片と、前記第１片と前記支点部とを連結する弾性部とを備え、前記接触部と前記弾性部と前記支点部と前記接続部とを略クランク形状に配置し、
前記ハウジングは、前記コンタクトの接触部を被覆する天井部を備え、該天井部の少なくとも両端側には前記接続対象物が不用意に上方向にコジられた際の前記天井部の浮き上がりを防止する防止壁が形成され、
前記回動部材は、回動部材を回動させるための操作部と、回動部材の長手方向に連設した押圧部と、前記押受部が挿入でき前記突出部と係合する別個独立の係止孔とを備えてなっており、かつ、
この回動部材は、次の如くの状態でハウジングに搭載されることすなわち、前記接続対象物を前記コネクタに接続する場合に、前記接続対象物と前記コネクタとの接続前の状態では前記押圧部の下端側が前記押受部の突出部と、コンタクトの接続部との間に位置し、第二に前記操作部を回動させると前記押圧部が嵌合口と反対方向に移動し押圧部の下端が前記押受部の突出部とコンタクトの延設部との間に挟持され、第三に前記操作部をさらに回動させると第二の位置の前記押圧部が押圧部の中心を回転軸として回動し、第四に前記操作部をさらに回動させると第三の位置の前記押圧部が押圧部の中心を回転軸として回動し前記押圧部が前記押受部と前記接続部との間でほぼ垂直になり回転軸が前記突出部に接した上端側に移動し、最後に前記操作部をさらに回動させると第四の位置の前記押圧部が前記突出部に接した上端側を中心に回動し前記押圧部を前記突出部に係合させること、すなわち押圧部の回転軸は、押圧部の枢動回転とともに移動して、結果的に小径の回転を実現させることを特徴とするコネクタ。
【請求項４】
接続対象物と接続対象物と接触する少なくとも１個の接触部を有する複数のコンタクトと、該コンタクトが配列・保持されるとともに前記接続対象物が挿入される嵌合口を有するハウジングと、前記コンタクトを弾性変形させて前記接続対象物に押圧する回動部材とを備えるコネクタにおいて、
前記コンタクトは、交互に反対方向に向いた、千鳥状に配列された２種類のコンタクトより成っており、
一方の前記コンタクトは、それぞれ一端側に前記接続対象物と接触する接触部と他端側に前記回動部材により押圧される押受部とを有する第１片と、一端側に支点部と他端側に基板と接続する接続部とを有する第２片と、前記第１片と前記支点部とを連結する弾性部とを備え、前記接触部と前記弾性部と前記支点部と前記接続部とを略クランク形状に配置し、
もう一方のコンタクトは、それぞれ一端側に前記接続対象物と接触する接触部と他端側に前記回動部材により押圧される押受部とを有する第１片と、一端側に基板と接続する接続部と他端側に支点部とを有する第２片と、前記第１片と前記支点部とを連結する弾性部とを備え、前記接触部と前記弾性部と前記支点部と前記接続部とを略Ｕ字状に配置するとともに少なくとも一方又はもう一方のコンタクトの押受部の先端に内側に突出した突出部を設け、
前記ハウジングは、前記コンタクトの接触部を被覆する天井部を備え、該天井部の少なくとも両端側には前記接続対象物が不用意に上方向にコジられた際の前記天井部の浮き上がりを防止する防止壁が形成され、
この回動部材は、次の如くの状態でハウジングに搭載されることすなわち、前記接続対象物を前記コネクタに接続する場合に、前記接続対象物と前記コネクタとの接続前の状態では前記押圧部の下端側が前記押受部の突出部とコンタクトの接続部、との間に位置し、第二に前記操作部を回動させると前記押圧部が嵌合口と反対方向に移動し下端が前記押受部の突出部とコンタクトの延設部との間に挟持され、第三に前記操作部をさらに回動させると第二の位置の前記押圧部が押圧部の中心を回転軸として回動し、第四に前記操作部をさらに回動させると第三の位置の前記押圧部が押圧部の中心を回転軸として回動し前記押圧部が前記押受部と前記接続部ならびにハウジングとの間でほぼ垂直になり回転軸が前記突出部に接した上端側に移動し、最後に前記操作部をさらに回動させると第四の位置の前記押圧部が前記突出部に接した上端側を中心に回動し前記押圧部を前記突出部に係合させること、すなわち押圧部の回転軸は、押圧部の枢動回転とともに移動して、結果的に小径の回転を実現させることを特徴とするコネクタ。
【請求項５】
請求項１または２に記載のコネクタにおいて、この回動部材は、次の如くの状態でハウジングに搭載されることすなわち、前記接続対象物を前記コネクタに接続する場合に、前記接続対象物と前記コネクタとの接続前の状態では前記押圧部の下端側が前記押受部の突出部とコンタクトの接続部との間に位置し、第二に前記操作部を回動させると前記押圧部が嵌合口と反対方向に移動し下端が前記押受部の突出部とコンタクトの延設部との間に挟持され、第三に前記操作部をさらに回動させると第二の位置の前記押圧部が押圧部の中心を回転軸として回動し、第四に前記操作部をさらに回動させると第三の位置の前記押圧部が押圧部の中心を回転軸として回動し、前記押圧部が前記押受部と前記接続部並びに前記ハウジング若しくは延設部との間でほぼ垂直になり回転軸が前記突出部に接した上端側に移動し、最後に前記操作部をさらに回動させると第四の位置の前記押圧部が前記突出部に接した上端側を中心に回動し前記押圧部を前記突出部に係合させること、すなわち押圧部の回転軸は、押圧部の枢動回転とともに移動して、結果的に小径の回転を実現させることを特徴とするコネクタ。
【請求項６】
前記天井部のほぼ中央部付近にも前記接続対象物が不用意に上方向にコジられた際の前記天井部の浮き上がりを防止する防止壁を形成することを特徴とする請求項１ないし５の何れか１項記載のコネクタ。
【請求項７】
前記コンタクト及び一方の前記コンタクトの支点部から前記接触部に面する方向に突出する延設部を設けることを特徴とする請求項１ないし４の何れか１項記載のコネクタ。
【請求項８】
もう一方の前記コンタクトの前記支点部から前記押受部に面する方向に突出する延設部を設け、前記回動部材の押圧部が延設部と押受部との間で回動するように前記回動部材を前記ハウジングに装着することを特徴とする請求項２ないし４の何れか１項記載のコネクタ。
【請求項９】
前記各コンタクトの延設部と一方の前記コンタクトの延設部並びにもう一方の前記コンタクトの支点部と接続部との間にも前記接続対象物と接触する追加の接触部を設けることを特徴とする請求項２、４、６又は７のうちの何れか１項記載のコネクタ。
【請求項１０】
前記ハウジングには前記嵌合口側に前記接続対象物を誘う凹部を設け、もう一方のコンタクトの接続部が前記凹部から突出しないように配置することを特徴とする請求項２、４又は５のうちの何れか１項記載のコネクタ。
【請求項１１】
前記接続対象物に係止部を設け、該係止部と係合する係合部を有するとともに前記コンタクト、一方の前記コンタクト若しくはもう一方の前記コンタクトと同一構造にしたロック部材を使用することを特徴とする請求項１から１０項のうちいずれか１項記載のコネクタ。
【請求項１２】
前記コンタクトと一方の前記コンタクトの延設部及びもう一方の前記コンタクトの支点部と接続部との間に設ける前記接触部に弾性を持たせることを特徴とする請求項９記載のコネクタ。
【請求項１３】
前記ハウジングに、前記コンタクト及び一方の前記コンタクトの接続部に対応した位置に係止部を設け、前記コンタクト及び一方の前記コンタクトの接続部に前記係止部と係合する斜めの係合部を設け、前記コンタクト及び一方の前記コンタクトの延設部は前記ハウジングに保持されないことを特徴とする請求項１１又は１２記載のコネクタ。
【請求項１４】
前記コンタクト及び一方の前記コンタクトを、前記ハウジングの嵌合口と反対側よりハウジングに挿入していくと、前記係合部に前記係止部が係合し始めた段階では前記コンタクトの接触部は前記ハウジングの挿入孔と略平行状態であるが、さらに挿入されると前記コンタクトは斜めに傾き前記接触部は前記挿入孔の上壁と接し、挿入が完了すると斜めの前記凹部により前記接触部が前記挿入孔と平行状態に戻ることを特徴とした請求項１３記載のコネクタ。
【請求項１５】
請求項９記載のコネクタにおいて、前記各コンタクト並びに一方の前記コンタクトの延設部に設けられた追加の接触部と、もう一方の前記各コンタクトの支点部と接続部の間に設けられた追加の接触部は、嵌合口内に延びている湾曲形状で、弾性あることを特徴とするコネクタ。
【請求項１６】
前記追加の各接触部の頭部に突起を設けた請求項１５記載のコネクタ。
【請求項１７】
接続対象物の挿入を容易にするため嵌合口に傾斜を設けたことを特徴とする請求項１ないし１５の何れか１項に記載のコネクタ。
【請求項１８】
前記嵌合口の傾斜はコネクタのハウジングのベースに対し、１５°ないし２５°の間とする請求項１７記載のコネクタ。
【発明の詳細な説明】
【技術分野】
【０００１】
本発明は、移動電話、携帯電話やノートパソコンやデジタルカメラ等に使用されるコネクタに関するもので、特にフレキシブルプリント基板（以下「ＦＰＣ」という）やフレキシブルフラットケーブル（以下「ＦＦＣ」という）等の接続対象物との安定した接続を得るための構造に関するものである。
【背景技術】
【０００２】
携帯電話やＣＣＤカメラ等に使用されるコネクタは、狭ピッチで極薄（所謂軽薄短小）である。これらコネクタは主にハウジングとコンタクトとスライダーとから構成され、ハウジングとスライダーとでＦＰＣ又はＦＦＣを挟持する構造である。ハウジングとスライダーとでＦＰＣ又はＦＦＣを保持する方法には、色々考えられるが、中でもハウジングにＦＰＣ又はＦＦＣを挿入した後にスライダーを挿入しＦＰＣ又はＦＦＣをコンタクトに押しつける構造のものが多い。
【０００３】
ハウジングには、コンタクトが挿入される所要数の挿入孔が設けられるとともにＦＰＣ又はＦＦＣが挿入される嵌合口が設けられている。
【０００４】
コンタクト６４は図１２Ａ及び１２Ｂのように略Ｕ字形状をしており、主にＦＰＣ４０又はＦＦＣと接触する接触部２２と基板等に接続する接続部２４とハウジング６２に固定される固定部４２とから構成されている。このコンタクト６４は、圧入等によってハウジング６２に固定されている。
【０００５】
例えば、スライダー６６は、図１２Ａ及び１２Ｂのようにほぼ楔形状をしている。所要数のコンタクト６４が配置されたハウジング６２に、ＦＰＣ４０又はＦＦＣを挿入した後に、前記スライダー６６を挿入する。このようなスライダー６６は、主にハウジング６２に装着される装着部７４とＦＰＣ４０又はＦＦＣをコンタクト６４の接触部２２に押圧する押圧部６８とを備えている。ＦＰＣ４０又はＦＦＣが挿入される以前は、スライダー６６はハウジング６２に仮装着された状態になっており、ＦＰＣ４０又はＦＦＣが挿入された後にスライダー６６を挿入すると、図１２ＢのようにＦＰＣ４０又はＦＦＣと平行に前記スライダー６６の押圧部６８が挿入され、コンタクト６４の接触部２２にＦＰＣ４０又はＦＦＣが押圧されるようになる。
【０００６】
このような構造以外にも、以下に示す文献のような回動部材等を使用して、コンタクトをＦＰＣ等の接続対象物に接触させる構造のものがある。
【０００７】
【特許文献１】特開２００２−２７０２９０の要約によると、アクチュエータを小さい操作力で操作でき、また、アクチュエータによるコンタクトの移動量を大きくして接続を確実に行うことができ、更に、低背のコネクタを提供することを目的としている。アクチュエータは、カム部と操作部を有し、前記両部の間に各コンタクトのばね部の先端付近が挿入脱出可能な逃げ溝を形成されている。アクチュエータを支点を中心として９０°右回転すると、カム部は各コンタクトのばね部と連結ばね部を弾性変形させ、すると、接触部の突起と接触部の突起との間で、ＦＰＣは挟圧され、したがって、ＦＰＣのパターンは、各コンタクトの端子部を介してプリント基板に接続される。  インシュレータの天井部は、各コンタクトの接触部を被覆し、天井部の前面側の下部には、ＦＰＣをコネクタに挿入するためのガイド部が形成された構造のコネクタが開示されている。ちなみに、特開２００２−２７０２９０の特許請求の範囲、請求項１として、コンタクトと、前記コンタクトを保持するインシュレータと、前記インシュレータに回転可能に取り付けられ、かつ、前記コンタクトを弾性変形させて接続対象物に接触させることができるアクチュエータとから構成されるコネクタにおいて、前記コンタクトは、一方側に前記接続対象物との接触部を、他方側に前記アクチュエータによる被作動部を、それぞれ有する第１のビームと、一方側に前記接続対象物との接触部を、他方側にプリント基板と接続する端子部を、それぞれ有する第２のビームと、前記第１のビームと前記第２のビームとを連結する連結ばね部とから構成され、前記インシュレータは、前記コンタクトの少なくとも一方の接触部を嵌合側から被覆する天井部を有し、前記天井部に前記接続対象物の挿入をガイドするガイド部が形成される構造のコネクタを規定している。また、請求項２として、前記コンタクトの少なくとも一方の接触部は、前記連結ばね部の近傍に前記接続対象物に向かって傾斜する傾斜部を有する構造のコネクタを規定する。請求項３として、前記アクチュエータは、操作部と、前記コンタクトの被作動部を作動するカム部と、前記操作部と前記カム部との間に位置する逃げ溝とを有し、前記接続対象物と前記コネクタとの接続前の状態では、前記被作動部が前記逃げ溝に挿入可能である構造のコネクタを規定する。請求項４として、コンタクトと、前記コンタクトを保持するインシュレータと、前記インシュレータに回転可能に取り付けられ、かつ、前記コンタクトを弾性変形させて接続対象物に接触させることができるアクチュエータとから構成されるコネクタにおいて、前記コンタクトは、一方側に前記接続対象物との接触部を、他方側に前記アクチュエータによる被作動部を、それぞれ有する第１のビームと、一方側に前記接続対象物との接触部を、他方側にプリント基板と接続する端子部を、それぞれ有する第２のビームと、前記第１のビームと前記第２のビームとを連結する連結ばね部とから構成され、前記第１のビームの接触部は、前記接続対象物に向かって突出する第１の突起と第２の突起とを前記接続対象物の挿入方向に並んで有し、前記第２のビームの接触部は、前記接続対象物に向かって突出する第３の突起と第４の突起と��前記接続対象物の挿入方向に並んで有し、前記第３の突起が前記第１の突起と前記第２の突起との間に位置するか、又は、前記第１の突起が前記第３の突起と前記第４の突起との間に位置し、前記第１の突起と前記第２の突起、又は、前記第３の突起と前記第４の突起が、前記接続対象物と接触する接点となる構造のコネクタ等が開示されている。
【０００８】
【特許文献２】特開平１１−３１５６１号（１９９９）の要約によると、操作性に優れ、偏平電線の確実な装着が可能なコネクタを提供することを目的としている。偏平電線の挿入口とは反対側の開口部に設けられた回動部材が回動の始点位置にあるときには、回動部材の圧接部が、接触子の隅部の周縁に当接しておらず、偏平電線の挿抜が自由な開放状態であり、回動部材を回動操作することより、回動部材の圧接部が、接触子の隅部の周縁を加圧して弾性変形させて接触部を偏平電線に圧接し、回動の終点位置では、回動部材の圧接部が、接触子の隅部の頂点を乗り越えた状態となって接触子の弾性復元力によって、結線状態を維持させる方向への力が作用するようにしている構造のコネクタが開示されている。ちなみに、特開平１１−３１５６１号（１９９９）の特許請求の範囲には次が規定されている。請求項１として、偏平電線の挿入口を有するとともに、該挿入口とは反対側に開口部を有するハウジングと、ハウジングの内部に装着される複数の接触子と、前記ハウジングの前記開口部側に回動可能に支持された回動部材とを備え、前記回動部材は、圧接部を有するとともに、回動の始点位置では、前記圧接部を前記接触子に圧接させることなく、ハウジングの挿入口への偏平電線の挿抜を許容する一方、回動の終点位置では、前記圧接部を前記接触子に圧接させて該接触子を弾性変形させることにより、前記接触子の接触部と挿入されてある偏平電線とを密接させる構造のコネクタ。請求項２として、前記回動部材は、前記圧接部を、前記接触子の隅部の周縁に圧接させるものであり、前記回動部材は、前記回動の始点位置では、前記圧接部が、回動中心と前記隅部の頂点とを結ぶ線に対してその一方側にあり、回動部材の回動操作に応じて、前記圧接部が、前記結ぶ線を越えて、前記回動の終点位置では、前記結ぶ線に対してその他方側となるように位置づけられている構造のコネクタ。請求項３として、前記回動部材の圧接部を、前記接触子の一端側の前記隅部の周縁に圧接することにより、該接触子の他端側の接触部を、挿入されてある偏平電線に密接させる構造のコネクタ。請求項４として、前記接触子は、互いに対向する一対の接触部を有し、前記回動の終点位置では、前記回動部材の圧接部が前記接触子に圧接されることにより、前記一対の接触部の一方が、他方側へ弾性変形されて両接触部で挿入されてある偏平電線を挟持する構造のコネクタ等が開示されている。
【０００９】
【特許文献３】特開平１１−３０７１９８号（１９９９）の要約によると、複数の端子を接続し、ＦＰＣ等を保持するプリント配線板用コネクターの操作性、保持性能を向上することを目的とし、ハウジングに、ＦＰＣ等が差し込まれる挿入溝を設け、複数のコンタクトを、接触部を挿入溝に対して突出後退自在に、並列して設け、操作部材を、接続位置と解除位置とに回動自在に設け、操作部材に、複数のカムを設け、操作部材が接続位置のとき、コンタクトが、カムに被操作部を押圧されて接触部を挿入溝に突出させ、ＦＰＣ等の端子に圧接して、端子を接続すると共にＦＰＣ等を保持し、操作部材が解除位置のとき、一部のコンタクトが、カムに被操作部を押圧されて接触部を挿入溝に対して僅かに突出させ、ＦＰＣ等に当接して、ＦＰＣ等を仮保持し、残りのコンタクトは、接触部を挿入溝に対して後退させる構造のプリント配線板用コネクターが開示されている。ちなみに、この特許文献３の特許請求の範囲には、請求項１として、複数のコンタクトが並列して設けられ、ＦＰＣ等の複数の端子を一括して接続するプリント配線板用コネクターにおいて、前記ＦＰＣ等が差し込まれる挿入溝を有するハウジングを備え、前記コンタクトは、前記挿入溝に対して突出後退自在に配置され、操作部材が、接続位置と解除位置とに移動自在に設けられ、前記操作部材が前記接続位置のとき、前記コンタクトは、前記操作部材に押圧されて前記挿入溝に突出し、前記ＦＰＣ等の前記端子に圧接して、前記端子と接続すると共に前記ＦＰＣ等を保持し、前記操作部材が前記解除位置のとき、一部の前記コンタクトは、前記挿入溝に対して僅かに突出し、前記ＦＰＣ等に当接して、前記ＦＰＣ等を仮保持し、残りの前記コンタクトは、前記挿入溝に対して後退するように構成される構造のプリント配線板用コネクター。請求項２として、複数のコネクターは、同一形状に形成され、操作部材には、複数のカムが、接続位置のとき、前記コンタクトを押圧して挿入溝に対して突出させ、解除位置のとき、一部の前記コンタクトを押圧して前記挿入溝に対して僅かに突出させ、残りの前記コンタクトを前記挿入溝に対して後退させるように設けられる構造のプリント配線板用コネクター等が開示されている。
【００１０】
【特許文献４】特開２００４−７１１６０号の要約によると、各部位の強度や仕様等を損なうことなく、スライダーでＦＰＣ又はＦＦＣを確実にコンタクトの接触部に押圧することができ、作業性がよく、ピッチの狭小化や低背位化が可能なコネクタを提供することを目的とし、コンタクトの接触部と接続部との間に弾性部と支点部とを設けるとともに接触部と弾性部と支点部と接続部とを略クランク形状に配置し、かつ、接続部と対向する位置に弾性部から延設された押受部を設け、スライダーに長手方向に連設した押圧部を設け、押圧部がコンタクトの接続部と押受部との間で回動自在にスライダーをハウジングに装着する構造のコネクタが開示されている。ちなみに、この特許文献４の特許請求の範囲には、請求項１として、フレキシブルプリント基板（ＦＰＣ）又はフレキシブルフラットケーブル（ＦＦＣ）と着脱自在に嵌合するコネクタであって、該フレキシブルプリント基板又は前記フレキシブルフラットケーブルと接触する接触部を有する所要数のコンタクトと、このコンタクトが保持・固定されるとともに前記フレキシブルプリント基板又は前記フレキシブルフラットケーブルが挿入される嵌合口を有するハウジングと、前記フレキシブルプリント基板（ＦＰＣ）又は前記フレキシブルフラットケーブル（ＦＦＣ）を前記コンタクトに押圧するスライダーとを備えるコネクタにおいて、前記コンタクトの接触部と接続部との間に弾性部と支点部とを設けるとともに前記接触部と前記弾性部と前記支点部と前記接続部とを略クランク形状に配置し、かつ、前記接続部と対向する位置に前記弾性部から延設された押受部を設け、前記スライダーに長手方向に連設した押圧部を設け、該押圧部が前記コンタクトの接続部と押受部との間で回動自在に前記スライダーを前記ハウジングに装着する構造のコネクタ。請求項２として、フレキシブルプリント基板（ＦＰＣ）又はフレキシブルフラットケーブル（ＦＦＣ）と着脱自在に嵌合するコネクタであって、該フレキシブルプリント基板又は前記フレキシブルフラットケーブルと接触する接触部を有する所要数のコンタクトと、このコンタクトが保持・固定されるとともに前記フレキシブルプリント基板又は前記フレキシブルフラットケーブルが挿入される嵌合口を有するハウジングと、前記フレキシブルプリント基板（ＦＰＣ）又は前記フレキシブルフラットケーブル（ＦＦＣ）を前記コンタクトに押圧するスライダーとを備えるコネクタにおいて、２種類のコンタクトを千鳥に配置し、一方のコンタクトには、接触部と接続部との間に弾性部と支点部とを設けるとともに前記接触部と前記弾性部と前記支点部と前記接続部とを略クランク形状に配置し、かつ、前記接続部と対向する位置に前記弾性部から延設された押受部を設け、もう一方のコンタクトには、接触部と接続部との間に弾性部と支点部とを設けるとともに前記接触部と前記弾性部と前記支点部と前記接続部とを略コ字状に配置し、かつ、前記弾性部から接触部と反対方向に延設された押受部を設け、前記スライダーに長手方向に連設した押圧部を設け、該押圧部が一方のコンタクトの接続部と押受部との間及びもう一方のコンタクトの押受部と前記ハウジングとの間で回動自在に前記スライダーを前記ハウジングに装着する構造のコネクタ。請求項３として、前記スライダーの押圧部が一方の前記コンタクトの接続部と押受部との間で回動すると、前記押受部が押圧部によって押し上げられることで前記支点部を支点にし、前記弾性部が前記接触部側に傾くことによって、前記接触部が前記フレキシブルプリント基板（ＦＰＣ）又は前記フレキシブルフラットケーブル（ＦＦＣ）側に押圧される構造のコネクタ。請求項４として、一方若しくはもう一方の前記コンタクトの押受部の先端に突出部を設け、前記スライダーの押圧部が一方の前記コンタクトの接続部方向へ移動しないようにする構造のコネクタ。請求項５として、前記スライダーの押圧部の形状を細長形状にする構造のコネクタ。請求項６として、前記スライダーには、所要数の前記コンタクトの突出部と係合する係止孔を設け、該係止孔を別個独立にする構造のコネクタ。請求項７として、前記押圧部の細長形状を、楕円形にする構造のコネクタ。請求項８として、一方の前記コンタクトの支点部から延設した方向にも前記フレキシブルプリント基板（ＦＰＣ）又は前記フレキシブルフラットケーブル（ＦＦＣ）と接触する接触部を設ける構造のコネクタ。請求項９として、もう一方のコンタクトの前記支点部から接続部と反対方向に延設された延設部を設け、前記スライダーの押圧部が延設部と押受部との間で回動自在に前記スライダーを前記ハウジングに装着する構造のコネクタ。請求項１０として、もう一方の前記コンタクトの支点部と接続部との間にも前記フレキシブルプリント基板（ＦＰＣ）又は前記フレキシブルフラットケーブル（ＦＦＣ）と接触する接触部を設ける構造のコネクタ等が開示されている。
【発明の開示】
【発明が解決しようとする課題】
【００１１】
近年、この種のコネクタ６０には、より低背位化の要求が強くなってきているが、上述した構造のコネクタ６０では、図１２Ｂのように６層（ハウジング６２の厚み方向両側の壁・コンタクト６４の接触部２２と受け部７０の厚さ・スライダー６６の押圧部６８の厚さ・ＦＰＣ４０又はＦＦＣの厚さ）構造になっている。低背位化を考えると、コンタクト６４の受け部７０を省略し、５層（ハウジング６２の厚み方向両側の壁・コンタクト６４の接触部２２の厚さ・スライダー６６の押圧部６８の厚さ・ＦＰＣ４０又はＦＦＣの厚さ）構造にすることはできるが、各部位の強度や仕様等からこれ以上低背位化が出来ないといった解決すべき課題があった。また、上述のような構造のコネクタ６０では、ハウジング６２の嵌合口１８側のみで、ＦＰＣ４０又はＦＦＣの挿入とコンタクト６４の接触部２２をＦＰＣ４０又はＦＦＣに押しつける動作を行っているので、コネクタが小型化すればするほど作業性が悪いと言った問題点もある。さらにまた、コネクタ６０のピッチの狭小化が要求された場合、従来の構造のようにコンタクト６４を一方向から挿入したのでは、コネクタの狭小化にも限界があった。
【００１２】
このようなことから、特許文献１から４のような構造の所謂バックロックタイプと称される、ＦＰＣ等の接続対象物が挿入される嵌合口と反対側で回動部材等を操作することで、コンタクトを弾性変形させ、前記接続対象物にコンタクトの接触部を接触させる構造のものが提案されている。
【００１３】
特許文献１に示されたような構造では、アクチュレータのカム部を一点を支点にして回転させているので、コンパクトな回転をすることが出来ず、かつ、これ以上の低背化をすることが出来なく、バネのヘタリやロック力の上昇を防止することができなく、また、付勢した右回転モーメントを確実に止めることが出来ないと言った問題点がある。
【００１４】
特許文献２に示されたような構造では、低背化が出来なく、所要の接触力を得るためにはアクチュエータに大きな操作力が必要で、接続信頼性が低い。また、アクチュレータを一点を支点にして回転させているので、コンパクトな回転をすることが出来ず、かつ、バネのヘタリやロック力の上昇を防止することができなく、付勢した回転モーメントを確実に止めることが出来ないと言った問題点がある。
【００１５】
特許文献３に示されたような構造でも、特許文献１と同様に、回動部材を回動軸Xの一点を支点にして回転させているので、コンパクトな回転をすることが出来ず、かつ、これ以上の低背化をすることが出来なく、バネのヘタリやロック力の上昇を防止することができなく、また、付勢した回転モーメントを確実に止めることが出来ないと言った問題点がある。
【００１６】
特許文献４に示されたような構造（図２及び図６）では、ＦＰＣ等の接続対象物が挿入される嵌合口側にテーパーが設けられているので、接続対象物が上側方向に不注意に誤った方向に力が加えられて、いわゆるコジられた場合に、ハウジングが上側に持ち上げられ易く、しいてはコンタクトも上側に持ち上げられるために安定した接触力を得ることが出来なく（下側を接触点として用いている場合は特に）、接続不良に繋がると言った問題点がある。この問題は、嵌合口と反対側でアクチュエータや回動部材を回転させる構造のもので、コネクタの小型化や低背化をすると、接続対象物をコジられると発生してしまう。この傾向については特許文献１から３に開示されているコネクタも同様であり、問題が発生してしまう。
【００１７】
また、特許文献１〜３のようにコンタクトの接触部が上側にあり、かつコンタクトの前側の全体がインシュレータ、ハウジング等の絶縁体に保持されているので、コネクタの低背化にも限度があった。
【００１８】
［発明の目的］
本発明は、このような従来の問題点に鑑みてなされたもので、コネクタの小型化や狭ピッチ化や低背化が図れ、簡単な操作や小さな操作力で安定した接続が得られ、接続対象物がコジられても接続不良に繋がらないコネクタを提供せんとするものである。
【課題を解決するための手段】
【００１９】
上記目的は、接続対象物と接触する少なくとも１個の接触部２２を有する複数のコンタクト１４と、該コンタクト１４が配列・保持されるとともに前記接続対象物が挿入される嵌合口１８を有するハウジング１２と、前記コンタクト１４を弾性変形させて前記接続対象物に押圧する回動部材１６とを備えるコネクタ１０において、前記コンタクト１４は、一端側に前記接続対象物と接触する接触部２２と他端側に前記回動部材１６により押圧される押受部２０と該押受部２０の先端に内側に突出した突出部２６とを有する第１片と、一端側に支点部３２と他端側に基板と接続する接続部２４とを有する第２片と、前記第１片と前記支点部３２とを連結する弾性部３４とを備え、前記接触部２２と前記弾性部３４と前記支点部３２と前記接続部２４とを略クランク形状に配置し、前記ハウジング１２は、前記コンタクト１４の接触部２２を被覆する天井部を備え、該天井部の少なくとも両端側には前記接続対象物が不用意に上方向にコジられた際の前記天井部の浮き上がりを防止する防止壁１７が形成され、前記回動部材１６は、回動部材を回動させるための操作部と回動部材の長手方向に連設した押圧部３６と前記押受部２０が挿入でき前記突出部２６と係合する別個独立の係止孔３０とを備え、前記押圧部３６は前記コンタクト１４の接続部２４と押受部２０との間で回動するように前記ハウジング１２に装着されているとともに前記押圧部３６が回動する時は押圧部の回転軸５０が移動してコンパクトな回転をすることで達成できる。
【００２０】
上記の本発明の目的のうち、より一層のピッチの狭小化を図るには、接続対象物と接触する少なくとも１個の接触部２２を有する複数のコンタクト１４と、該コンタクト１４が配列・保持されるとともに前記接続対象物が挿入される嵌合口１８を有するハウジング１２１と、前記コンタクト１４を弾性変形させて前記接続対象物に押圧する回動部材１６１とを備える本発明のコネクタ１０１において、２種類のコンタクト１４、１４１を交互に反対方向を向いた千鳥状に配置し、一方の前記コンタクト１４は、一端側に前記接続対象物と接触する接触部２２と他端側に前記回動部材１６により押圧される押受部２０とを有する第１片と、一端側に支点部３２と他端側に基板と接続する接続部２４とを有する第２片と、前記第１片と前記支点部３２とを連結する弾性部３４とを備え、前記接触部２２と前記弾性部３４と前記支点部３２と前記接続部２４とを略クランク形状に配置し、もう一方のコンタクト１４１は、一端側に前記接続対象物と接触する接触部２２と他端側に前記回動部材１６により押圧される押受部２０とを有する第１片と、一端側に基板と接続する接続部２４と他端側に支点部３２とを有する第２片と、前記第１片と前記支点部３２とを連結する弾性部３４とを備え、前記接触部２２と前記弾性部３４と前記支点部３２と前記接続部２４とをほぼＵ字状に配置するとともに少なくとも一方又はもう一方のコンタクトの押受部２０の先端に内側に突出した突出部２６を設け、前記ハウジング１２１は、前記コンタクト１４、１４１の接触部２２を被覆する天井部を備え、該天井部の少なくとも両端側には前記接続対象物が不用意な扱いで上方向にコジられた際の前記天井部の浮き上がりを防止する防止壁１７が形成され、前記回動部材１６１は、回動させるための操作部と長手方向に連設した押圧部３６と前記押受部２０が挿入でき前記突出部２６と係合する別個独立の係止孔３０とを備え、前記押圧部３６が一方の前記コンタクト１４の接続部２４と押受部２０との間及びもう一方のコンタクト１４１の押受部２０と前記ハウジング１２１との間で回動するように前記ハウジング１２１に装着するとともに前記押圧部３６が回動する時は回転軸５０が移動してコンパクトな回転をすることにより達成できる。
【００２１】
前記接続対象物を前記コネクタ１０、１０１に接続する場合に、前記接続対象物と前記コネクタ１０、１０１との接続前の状態では前記押圧部３６の下端５４側が前記押受部２０の突出部２６と接続部２４、ハウジング１２，１２１若しくは延設部４４との間に位置し、第二に前記操作部を回動させると前記押圧部３６が嵌合口１８と反対方向に移動し下端５４が前記押受部２０の突出部２６と接続部２４、ハウジング１２、１２１若しくは延設部４４との間に挟持され、第三に前記操作部をさらに回動させると第二の位置で前記押圧部３６が押圧部３６の中心を回転軸５０として回動し、第四に前記操作部をさらに回動させると第三の位置で前記押圧部３６が押圧部３６の中心を回転軸５０として回動し前記押圧部３６が前記押受部２０と前記接続部２４、ハウジング１２、１２１若しくは延設部４４との間でほぼ垂直になり回転軸５０が前記突出部２６に接した上端５２側に移動し、最後に前記操作部をさらに回動させると第四の位置で前記押圧部３６が前記突出部２６に接した上端５２側を中心に回動し前記押圧部３６を前記突出部２６に係合させる。
【００２２】
前記天井部のほぼ中央部付近にも前記接続対象物が誤った操作で上方向にコジられた際の前記天井部の浮き上がりを防止する防止壁１７、１７を形成する。
また、前記コンタクト１４及び一方の前記コンタクト１４の支点部３２から前記接触部２２と対向する方向に突出する延設部４４を設ける。
【００２３】
さらに、もう一方の前記コンタクト１４１の前記支点部３２から前記押受部２０と対向する方向に突出する延設部４４を設け、前記回動部材１６１の押圧部３６が延設部４４と押受部２０との間で回動するように前記回動部材１６１を前記ハウジング１２１に装着する。
【００２４】
前記コンタクト１４と一方の前記コンタクト１４の延設部４４及びもう一方の前記コンタクト１４１の支点部３２と接続部２４との間にも前記接続対象物と接触する接触部２２を設ける。
【００２５】
前記ハウジング１２１には前記嵌合口１８側に前記接続対象物を誘う凹部１９を設け、もう一方のコンタクト１４１の接続部２４が前記凹部１９から突出しないように配置する。
【００２６】
また、前記接続対象物に係止部を設け、該係止部と係合する係合部を有するとともに前記コンタクト１４、一方の前記コンタクト１４若しくはもう一方の前記コンタクト１４１と同一構造にしたロック部材を使用する。
【００２７】
前記コンタクト１４と一方の前記コンタクト１４の延設部４４及びもう一方の前記コンタクト１４１の支点部３２と接続部２４との間に設ける前記接触部２４に弾性を持たせる。
【００２８】
さらに、前記ハウジング１２、１２１に、前記コンタクト１４及び一方の前記コンタクト１４の接続部２４に対応した位置に係止部４８を設け、前記コンタクト１４及び一方の前記コンタクト１４の接続部２４に前記係止部４８と係合する斜めの係合部４６を設け、前記コンタクト１４及び一方の前記コンタクト１４の延設部４４は前記ハウジング１２、１２１に保持しない。
【００２９】
前記コンタクト１４及び一方の前記コンタクト１４を、前記ハウジング１２、１２１に嵌合口１８と反対側より挿入していくと、前記係合部４６に前記係止部４８が係合し始めた段階では前記コンタクト１４、１４の接触部２２は前記ハウジング１２、１２１の挿入孔３８と略平行状態であるが、さらに挿入されると前記コンタクト１４，１４は斜めに傾き前記接触部２２は前記挿入孔３８の上壁と接し、挿入が完了すると斜めの前記係合部４６により前記接触部２２が前記挿入孔３８と平行状態に戻る。
【００３０】
前記コンタクト１４及び一方の前記コンタクトの延設部４４に設ける追加の接触部２２、並びにもう一方のコンタクト１４１の支点３２と接続部２４との間に設ける追加の接触部２２は、嵌合口内に延びる湾曲形状であって、弾性を有している。
また、これら追加の接触部２２の頭部には突起部を設ける。
【００３１】
請求項１及び請求項２記載のコネクタ１０、１０１に、前記ＦＰＣ４０等の接続対象物を挿入する場合には、前記コネクタ１０の前記ハウジング１２の嵌合口１８の下側面及び前記コネクタ１０１のもう一方のコンタクト１４１の接続部２４にぶつけるように挿入する。
【００３２】
本コネクタ１０、１０１の作用としては、前記ＦＰＣ４０又はＦＦＣ等の接続対象物が前記ハウジング１２、１２１の嵌合口１８内に挿入された後に、前記回動部材１６、１６１の押圧部３６が一方の前記コンタクト１４の接続部２４と押受部２０及びもう一方の前記コンタクト１４１の押受部２０と延設部４４との間で回動すると、前記押受部２０が押圧部３６によって押し上げられることで両方の前記コンタクト１４、１４１の支点部３２を支点にし、両方の前記コンタクト１４、１４１の弾性部３４が前記接触部２２側に傾くことによって、前記接触部２２が前記ＦＰＣ４０又はＦＦＣ等の接続対象物側に押圧される。
【発明の効果】
【００３３】
以上の説明から明らかなように、本発明のコネクタによると、次のような優れた効果が得られる。
（１）本発明のコネクタ１０は、接続対象物と接触する少なくとも１個の接触部２２を有する複数のコンタクト１４と、該コンタクト１４が配列・保持されるとともに前記接続対象物が挿入される嵌合口１８を有するハウジングと、前記コンタクト１４を弾性変形させて前記接続対象物に押圧する回動部材１６とを備え、前記コンタクト１４は、一端側に前記接続対象物と接触する接触部２２と他端側に前記回動部材１６により押圧される押受部２０と該押受部２０の先端に内側に突出した突出部２６とを有する第１片と、一端側に支点部３２と他端側に基板と接続する接続部２４とを有する第２片と、前記第１片と前記支点部３２とを連結する弾性部３４とを備え、前記接触部２２と前記弾性部３４と前記支点部３２と前記接続部２４とを略クランク形状に配置し、前記ハウジング１２は、前記コンタクト１４の接触部２２を被覆する天井部を備え、該天井部の少なくとも両端側には前記接続対象物が不用意に上方向にコジられた際の前記天井部の浮き上がりを防止する防止壁１７が形成され、前記回動部材１６は、回動させるための操作部と長手方向に連設した押圧部３６と前記押受部２０が挿入でき前記突出部２６と係合する別個独立の係止孔３０とを備え、前記押圧部３６が前記コンタクト１４の接続部２４と押受部２０との間で回動するように前記ハウジング１２に装着するとともに前記押圧部３６が回動する時は回転軸５０が移動してコンパクトな回転をするようにしているので、コネクタ１０の小型化や低背化や狭ピッチ化ができ、簡単な操作や低い操作力で安定した接続が得られ、回動する軸が都度移動し、コンパクトな回動が可能で、バネのヘタリや高ロック力を防止することができ、接続対象物が不用意に上方向にコジられても接続不良に繋がることがない。
【００３４】
（２）本発明のコネクタ１０１では、接続対象物と接触する少なくとも１個の接触部２２を有する複数のコンタクト１４と、該コンタクト１４が配列・保持されるとともに前記接続対象物が挿入される嵌合口１８を有するハウジング１２１と、前記コンタクト１４を弾性変形させて前記接続対象物に押圧する回動部材１６１とを備え、２種類のコンタクト１４、１４１を互いに交互に逆方向に向いた千鳥状に配置し、一方の前記コンタクト１４は、一端側に前記接続対象物と接触する接触部２２と他端側に前記回動部材１６１により押圧される押受部２０とを有する第１片と、一端側に支点部３２と他端側に基板と接続する接続部２４とを有する第２片と、前記第１片と前記支点部３２とを連結する弾性部３４とを備え、前記接触部２２と前記弾性部３４と前記支点部３２と前記接続部２４とを略クランク形状に配置し、もう一方のコンタクト１４１は、一端側に前記接続対象物と接触する接触部２２と他端側に前記回動部材１６１により押圧される押受部２０とを有する第１片と、一端側に基板と接続する接続部２４と他端側に支点部３２とを有する第２片と、前記第１片と前記支点部３２とを連結する弾性部３４とを備え、前記接触部２２と前記弾性部３４と前記支点部３２と前記接続部２４とを略コ字状に配置するとともに少なくとも一方又はもう一方のコンタクト１４、１４１の押受部２０の先端に内側に突出した突出部２６を設け、前記ハウジング１２１は、前記コンタクト１４、１４１の接触部を２２被覆する天井部を備え、該天井部の少なくとも両端側には前記接続対象物が上方向にコジられた際の前記天井部の浮き上がりを防止する防止壁１７が形成され、前記回動部材１６１は、回動させるための操作部と長手方向に連設した押圧部３６と前記押受部２０が挿入でき前記突出部２６と係合する別個独立の係止孔３０とを備え、前記押圧部３６が一方の前記コンタクト１４の接続部２４と押受部２０との間及びもう一方のコンタクト１４１の押受部２０と前記ハウジング１２１との間で回動するように前記ハウジング１２１に装着するとともに前記押圧部３６が回動する時は回転軸５０が移動してコンパクトな回転をするようにしているので、コネクタ１０１の小型化や低背化ができ、簡単な操作や低い操作力で安定した接続が得られ、回動する軸が都度移動し、コンパクトな回動が可能で、バネのヘタリや高ロック力を防止することができ、接続対象物が不用意に上方向にコジられても接続不良に繋がることがなく、より一層の狭ピッチ化が図れる。
【００３５】
（３）本発明においては前記接続対象物を前記コネクタ１０、１０１に接続する場合に、前記接続対象物と前記コネクタ１０、１０１との接続前の状態では前記押圧部３６の下端５４側が前記押受部２０の突出部２６と接続部２４、ハウジング１２、１２１若しくは延設部４４との間に位置し、第二に前記操作部を回動させると前記押圧部３６が嵌合口１８と反対方向に移動し下端５４が前記押受部２０の突出部２６と接続部２４、ハウジング１２、１２１若しくは延設部４４との間に挟持され、第三に前記操作部をさらに回動させると第二の位置で前記押圧部３６が押圧部３６の中心を回転軸５０として回動し、第四に前記操作部をさらに回動させると第三の位置で前記押圧部３６が押圧部３６の中心を回転軸５０として回動し前記押圧部３６が前記押受部２０と前記接続部２４、ハウジング１２、１２１若しくは延設部４４との間で垂直になり回転軸５０が前記突出部２６に接した上端５２側に移動し、最後に前記操作部をさらに回動させると第四の位置で前記押圧部３６が前記突出部２６に接した上端５２側を中心に回動し前記押圧部３６を前記突出部２６に引っ掛かった状態に係合させているので、回転する支点が一点でなく、その都度支点が移動するため省スペースでのコンパクトな回動が可能で、バネの疲労によるヘタリや高ロック力を防止することができ、押受部２０と接続部２４と突出部２６の３点で押圧部３６を固定しているためる確実にモーメントを付勢することができる。
【００３６】
（４）本発明においては前記天井部のほぼ中央部付近にも前記接続対象物が上方向にコジられた際の前記天井部の浮き上がりを防止する防止壁１７を形成しているので、接続対象物が不用意にコジられた場合にもより確実に天井部の浮き上がりを防止することができ、かつ、芯数が増えたときでも接続不良にも繋がらないし、防止壁１７を部分的に形成することで材料費の低減にもなる。
【００３７】
（５）本発明においては、前記コンタクト１４及び一方の前記コンタクト１４の支点部３２から前記接触部２２と対向する方向に突出する延設部４４を設けているので、より確実に接続対象物を挟持することができ、安定した接続を得ることができる。
【００３８】
（６）本発明においては、もう一方の前記コンタクト１４１の前記支点部３２から前記押受部２０と対向する方向に突出する延設部４４を設け、前記回動部材１６１の押圧部３６が延設部４４と押受部２０との間で回動するように前記回動部材１６１を前記ハウジング１２１に装着しているので、前記回動部材１６１の押圧部３６がコンタクト１４１の押受部２０と延設部４４との間で回転するため、コンパクトな回転で、かつ、安定した回転を得ることができ、しいては接続安定性に繋がる。
【００３９】
（７）本発明においては、前記コンタクト１４と一方の前記コンタクト１４の延設部４４及びもう一方の前記コンタクト１４１の支点部３２と接続部２４との間にも前記接続対象物と接触する接触部２２を設けているので、前記接続対象物の下側に接点がある場合にも対応することができ、高密度化を図ることができる。
【００４０】
（８）本発明においては、前記ハウジング１２１には前記嵌合口１８側に前記接続対象物を誘う凹部１９を設け、もう一方のコンタクト１４１の接続部２４が前記凹部１９から突出しないように配置しているので、コネクタ１０１の小型化が可能で、接続対象物をもう一方のコンタクト１４１の接続部２４にぶつけるようにすることで接続対象物を嵌合口１８内に容易に導くことができる。
【００４１】
（９）本発明においては、前記接続対象物に係止部を設け、該係止部と係合する係合部を有するとともに前記コンタクト１４、一方の前記コンタクト１４若しくはもう一方の前記コンタクト１４１と同一構造にしたロック部材を使用しているので、ゼロ・インサーション・フォース（ＺＩＦ）構造のままで、接続対象物がコジられても抜けることがなく、安定した接続を得ることができる。
【００４２】
（１０）本発明においては、前記コンタクト１４と一方の前記コンタクト１４の延設部４４及びもう一方の前記コンタクト１４１の支点部３２と接続部２４との間に設ける前記接触部２２に弾性を持たせているので、接続対象物の下側に接点がある場合にも対応することができ、安定した接続を得ることができる。
【００４３】
（１１）本発明においては、前記ハウジング１２に、前記コンタクト１４及び一方の前記コンタクト１４の接続部２４に対応した位置に係止部４８を設け、前記コンタクト１４及び一方の前記コンタクト１４の接続部２４に前記係止部４８と係合する斜めの係合部４６を設け、前記コンタクト１４及び一方の前記コンタクト１４の延設部４４は前記ハウジング１２に保持していないので、より一層の低背化が可能であると同時に前記延設部４４が浮き上がることがないために安定した接続を得ることができる。
【００４４】
（１２）本発明においては、前記コンタクト１４及び一方の前記コンタクト１４を、前記ハウジング１２に嵌合口１８と反対側より挿入していくと、前記係合部４６に前記係止部４８が係合し始めた段階では前記コンタクト１４の接触部２２は前記ハウジング１２の挿入孔３８と略平行状態であるが、さらに挿入されると前記コンタクト１４は斜めに傾き前記接触部２２は前記挿入孔３８の上壁と接し、挿入が完了すると斜めの前記係合部４６により前記接触部２２が前記挿入孔３８と平行状態に戻るので、前記延設部４４を前記ハウジング１２に保持しなくても延設部４４が浮き上がることがない。
【００４５】
（１３）本発明においては、コネクタ１０、１０１に、前記ＦＰＣ４０等の接続対象物を挿入する場合には、前記コネクタ１０の前記ハウジング１２の嵌合口１８の下側面及び前記コネクタ１０１のもう一方のコンタクト１４１の接続部２４にぶつけるように挿入しているので、前記ハウジング１２、１２１の天井部にテーパー形状のガイドを設けてなくても、容易に接続対象物を嵌合口１８内に挿入することができる。
【００４６】
（１４）本発明においては、回動部材１６、１６１をハウジング１２、１２１のコンタクト接続部２４側で回動させることで、コンタクト１４、１４１、１４２の接触部２２をＦＰＣ４０又はＦＦＣ等の接続対象物に接触させる構造にしている。このため、ハウジング１２、１２１の嵌合口１８にスライダーを挿入することがなく、スライダーの厚み分だけコネクタの低背位化が可能になった。
【００４７】
（１５）前記コンタクト１４及び一方のコンタクト１４の延設部４４に設けた追加の接触部２２、並びにもう一方のコンタクト１４１の支点３２と接続部２４の間に設けた追加の接触部２２は嵌合口１８内に延びている折り曲げ形状で弾性を有している。このため本コネクタは、下側にも接続点を設けた接続対象物を用いることも可能となり、またこのコネクタはより間隔をせまく配置した接点導体を用い安定した電気的接続が可能となる。これはコンタクトに追加の接触部２２を設けたことによって容易に実現を可能としたものである。
【００４８】
（１６）前記の追加の各接触部２２はその頭部先端に突出部を有しており、安定な電気的接続を可能としている。
【発明を実施するための最良の形態】
【００４９】
図１Ａから図６Ｄに基づいて、本発明のコネクタの一実施例について説明する。
図１Ａは回動部材が開いた状態の嵌合口側からみた本発明のコネクタの斜視図であり、図１Ｂは回動部材が開いた状態の接続部側からみた本発明のコネクタの斜視図である。図２Ａは回動部材が開いた状態でコンタクト部分で切断した本発明のコネクタの斜視図であり、図２ＢはＦＰＣが挿入され回動部材が閉じた状態のコンタクト部分で切断した本発明のコネクタの斜視図である。図３は回動部材の斜視図である。図４Ａは２つの接触部を持ったコンタクトの斜視図であり、図４Ｂは１つの接触部を持った別のコンタクトの斜視図である。図５Ａ〜図５Ｅは回動部材が回動する場合の押圧部と回転軸の移動を説明する説明図であり、図６Ａ〜図６Ｄはコンタクトをハウジングに装着する場合の説明図である。
【００５０】
本発明のコネクタは、主にハウジングと回動部材とコンタクトとを備えている。
本発明のコネクタの構成部品について説明する。
まず、コンタクトについて説明する。このコンタクトは金属製であり、公知技術のプレス加工によって製作されている。前記コンタクトの材質としては、バネ性や導電性などが要求されるので、黄銅やベリリウム銅やリン青銅等を挙げることができる。
【００５１】
前記コンタクト１４は、図４Ａのように略Ｈ字形状をしており、一端側に前記接続対象物と接触する接触部２２と他端側に前記回動部材１６により押圧される押受部２０と該押受部２０の先端に内側に突出した突出部２６と有する第１片と、一端側に支点部３２から第１片の接触部２２に対向するように延設された延設部４４と他端側に基板と接続する接続部２４と前記延設部４４の先端に接触部２２とを有する第２片と、前記第１片と前記第２片の前記支点部３２とを連結する弾性部３４と、前記接続部２４の近傍に固定部４２とを備えている。前記第１片の前記接触部２２と前記弾性部３４と前記支点部３２と前記接続部２４とを略クランク形状に配置されている。
【００５２】
前記接触部２２、２２は、ＦＰＣ４０又はＦＦＣ等の接続対象物と接触し易いように凸部形状にしており、前記接続部２４は本実施例では図１Ｂのように表面実装タイプ（ＳＭＴ）にしているが、ディップタイプでも良い。即ち、２つの接触部２２、２２を設けて、前記ＦＰＣ４０又はＦＦＣを挟持するようにする。前記ＦＰＣ４０又はＦＦＣの挿入方向に対して、直角方向両側に接触部２２を設けることで、前記ＦＰＣ４０又はＦＦＣを２つの接触部２２、２２で挟持することになり、確実に前記ＦＰＣ４０又はＦＦＣと接触できるようになる。
【００５３】
前記支点部３２と前記弾性部３４と前記押受部２０とは、前記ＦＰＣ４０又はＦＦＣ等の接続対象物が挿入された際に、次のような作用を果たす。前記ＦＰＣ４０又はＦＦＣ等の接続対象物が前記ハウジング１２の嵌合口１８内に挿入された後に、前記回動部材１６の押圧部３６が前記コンタクト１４の接続部２４と押受部２０との間で回動すると、前記コンタクト１４の押受部２０が押圧部３６によって押し上げられることで前記コンタクト１４の支点部３２を支点にし、前記コンタクト１４の弾性部３４が前記接触部２２側に傾くことによって、前記接触部２２が前記ＦＰＣ４０又はＦＦＣ等の接続対象物側に押圧される。前記支点部３２と前記弾性部３４と前記押受部２０の大きさや形状は、このような作用を果たすために、適宜設計されている。
【００５４】
また、前記コンタクト１４の押受部２０の先端に突出部２６を設け、回動部材１６の押圧部３６をコンタクト１４の押受部２０と接続部２４との間で回動させるときは回動部材１６の回動に対する反発力が強い為に、回動部材１６の中央部が図２Ａの矢印Ｂ方向に膨れてしまうことを防ぐようにすると好都合である。前記突出部２６の大きさは、このような役割を果たすことが出来れば如何なる大きさでもよく、回動部材１６の押圧部３６が引っ掛かる程度に適宜設計する。
【００５５】
さらに、前記突出部２６の役割としては、前記回動部材１６の回動が終了し、接続対象物と前記コンタクト１４が接触している際に、前記回動部材１６の押圧部３６が倒れないように保持することも兼ねている。
【００５６】
前記コンタクト１４の接続部２４には、前記ハウジング１２の前記係止部４８と係合する僅かに斜めの係合部４６が設けられている。前記係合部４６は、前記コンタクト１４を前記ハウジング１２に装着する際のガイドの役割を果たすものであり、かつ、前記コンタクト１４の下側に設けられた接触部２２の先端が保持されていなくても浮かないようにすることでより低背化を図るものである。前記係合部４６の形状・大きさは下記のような動きをするように適宜設計するが、本実施例では形状は図６Ａのように斜めの切り欠きになっており、大きさは０．０８ｍｍにしている。
【００５７】
ここで、図６Ａ〜６Ｄに基づいて、前記コンタクト１４を前記ハウジング１２に装着する際の前記コンタクト１４の動きについて説明する。
【００５８】
図６Ａのようにハウジング１２に嵌合口１８の反対側の矢印Ｃ方向からコンタクト１４を挿入する。
【００５９】
図６Ｂのように前記コンタクト１４は前記係合部４６に前記ハウジング１２の前記係止部４８が係合し始めた段階では前記コンタクト１４の接触部２２、２２は前記ハウジング１２の挿入孔３８と略平行状態である。
【００６０】
図６Ｃのように前記コンタクト１４をさらに挿入していくと、前記コンタクト１４と前記ハウジング１２の挿入孔３８とのクリアランス分だけ前記コンタクト１４は斜めに傾き前記接触部２２は前記挿入孔３８の上壁と接する。
【００６１】
図６Ｄのように、挿入が完了すると前記コンタクト１４の係合部４６が斜め形状に形成されているために、前記コンタクト１４は前記係合部４６にガイドされるように前記接触部２２が前記挿入孔３８と平行状態に戻るように挿入される。
【００６２】
図４Ｂに基づいて、別のコンタクトについて説明する。
前記コンタクト１４２は、図４Ｂのようにほぼｈ字形状をしており、一端側に前記接続対象物と接触する接触部２２と他端側に前記回動部材１６により押圧される押受部２０と該押受部２０の先端に内側に突出した突出部２６とを有する第１片と、一端側に支点部３２と他端側に基板と接続する接続部２４とを有する第２片と、前記第１片と前記支点部３２とを連結する弾性部３４とを備えている。前記接触部２２と前記弾性部３４と前記支点部３２と前記接続部２４とは、略クランク形状に配置されている。即ち換言すると、本コンタクト１４２は、図４Ａの前記コンタクト１４の支点部３２から延設された延設部４４と第２片の接触部２２を削除したものである。コンタクト１４２の作用等については、前記コンタクト１４と同様である。
【００６３】
次に、回動部材１６について説明する。この回動部材１６は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。該回動部材１６は主に操作部とハウジング１２に回動可能に装着される軸２８部分と前記コンタクト１４の押受部２０を押圧する押圧部３６と前記コンタクト１４の突出部２６が係合する係止孔３０とを備えている。前記軸２８は、回動部材１６を回動するための支点であり、ハウジング１２の長手方向両側に回動部材１６が回動可能に適宜装着されている。また、長手方向両側には、前記コンタクト１４の押受部２０を押圧した際に回動部材１６が高さ方向（図面の上方向）に持ち上がらないようにするためにハウジング１２と係合するロック部が設けられている。ロック部の形状や大きさ等は、ハウジング１２に係合できれば如何なるものでもよく、上述の役割やコネクタの大きさや強度等を考慮して適宜設計する。
【００６４】
前記押圧部３６は、コンタクト１４の押受部２０に押し付ける部分であり、その形状としては細長形状にすることが望ましく、本実施例では楕円形状をしている。このように楕円形状にすることによって、図２Ａのように回動部材１６を矢印「ロ」方向に回動させ、コンタクト１４の押受部２０と接続部２４との間で回転させることで、押圧部３６の大きさの変化によりコンタクト１４の押受部２０が持ち上げられ、ＦＰＣ４０又はＦＦＣ等の接続対象物をコンタクト１４の接触部２２側に押し付けている。押圧部３６の形状としては、コンタクト１４の押受部２０と接続部２４との間で回転でき、長軸と短軸といった大きさの違いによりコンタクト１４の押受部２０を押し上げられれば、如何なるものでもよい。
【００６５】
また、前記回動部材１６を回動した際に、回動部材１６の回動に対する反発力が強く、回動部材１６の中央部が図１Ｂの矢印Ａ方向に膨れてしまうことを防ぐようにする為に、前記コンタクト１４の突出部２６が係合する係止孔３０が別個独立に設けられている。前記係止孔３０を別個独立に設けることで、回動部材１６の強度アップや回動時の変形を防止している。
【００６６】
最後に、ハウジング１２について説明する。このハウジングは電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００６７】
前記ハウジング１２には、所要数のコンタクト１４、１４２が装着される挿入溝３８が設けられており、圧入や引っ掛け（ランス）や溶着等によって固定されている。また、長手方向両側には、前記回動部材１６の軸２８が回動可能に装着される軸受部が設けられている。この軸受部の形状や大きさは、回動部材１６の軸２８が回動できるように装着されていれば如何なるものでもよく、この役割やハウジング１２の強度や大きさ等を考慮して適宜設計する。なお、長手方向両側には、前記回動部材１６のロック部に対応した位置に係止部が設けられている。
【００６８】
前記ハウジング１２は、前記コンタクト１４の第１片の接触部２２を被覆し、かつ絶縁する天井部を備え、少なくとも両端側には前記接続対象物が不用意に上方向にコジられた際の前記天井部の浮き上がり変形を防止する防止壁１７が形成されている。ここでいう「防止壁」とは嵌合口１８の先端部分を傾斜又はテーパー形状にすることなく、エッジ形状にしたもののことである。本実施例では、嵌合口の両端側のみに防止壁１７を形成した。前記防止壁１７を形成することによりＦＰＣ４０等の接続対象物をガイドする作用・効果は果たさなくなっている。
【００６９】
前記ＦＰＣ４０等の接続対象物を前記嵌合口１８内へ導く方法としては、嵌合口１８の前記ハウジング１２の下側面に前記ＦＰＣ４０をぶつけるように挿入する。このように挿入することで、容易に嵌合口１８内に導くことができる。
【００７０】
コネクタにＦＰＣ４０を挿入した状態で、前記ＦＰＣ４０をコネクタに対して、垂直に前記ＦＰＣ４０を引張試験機で引張った。（使用状態で上方向にコジられた場合と同様の状態になる。）その結果を、下記の表１及びグラフ１に示す。表１及びグラフ１に示す保持力の現す意味は、垂直方向に前記ＦＰＣ４０を引っ張った場合の前記コンタクト１４、１４１と前記ＦＰＣ４０との接触が遮断したときの力である。
【００７１】
表１及び図１３でいう従来品のコネクタとは防止壁１７を設けないで、嵌合口の天井部の全てをテーパー形状にしたものであり、改良品コネクタ１（両端のみ）とは天井部の嵌合口の両側に防止壁１７を設けたもの（即ち、両側部分だけテーパー形状になっていないもの）であり、改良品コネクタ２（全体）とは天井部全てに防止壁１７を設けたものである。
【００７２】
【表１】
2008510265.tif 000003
【００７３】
図１３は上の表に示した試験結果を図表として表わしたものである。
【００７４】
表１及び図１３から見ると保持力（接触が遮断するまでの力）は、平均でみると、１８芯では改良品コネクタ１（防止壁両端のみ）で８．４Ｎ、改良品コネクタ２（防止壁全体）で８．９Ｎ、２７芯では改良品コネクタ１で８．９Ｎ、改良品コネクタ２で９．０Ｎ程度となってそれだけ保持力がアップしている。すなわち、保持力が従来品に比べ改良品コネクタ１及び改良品コネクタ２で約２倍になった。この結果からも防止壁１７を嵌合口１８の両端部分だけ又は全体に設けるとこのような保持力（接触が遮断するまでの力）のアップに繋がることがはっきりした。即ち、前記防止壁１７を嵌合口１８の両端部分だけ又は全体に設けることで、不用意な扱いで力が加わってコネクタがコジられた場合の接触安定性を意味する保持力が約２倍に上昇した。これは、コジリに対する接触安定性が増したことを意味している。また、前記防止壁１７を両端部分にだけ設けたものと全体に設けた場合の保持力（接触が遮断するまでの力）を比較するとあまり大差がないことも判る。改善比率では１８芯で２２０．３％、２７芯で１９７．２％と良くなっている。改善比率とは、改良品の保持力を従来品の保持力で割った値である。前記防止壁１７を設ける数及び位置としては、少なくとも嵌合口１８の天井部の両端側のみに防止壁１７を形成した場合と天井部の全体に防止壁１７を形成した場合との保持力（接触が遮断するまでの力）が大差ないことやコジられた場合のＦＰＣ４０等の接続対象物の傷つき防止（破損）を考慮すると、できる限り少ない箇所がよい。本実施例では、天井部分の両端部分にのみ設けたが、バランスを考えると両端と中央の３箇所に形成することが望ましい。コジられた場合のＦＰＣ４０等の接続対象物の傷つき防止（破損）をするためには、コジられた際に接続対象物と接しないように適宜設計するば良く、テーパーやＣ面取りやＲ形状や一段凹部にすること等が考えられるが、コネクタのデザイン性や材料費等を考慮するとテーパー形状がよい。
【００７５】
嵌合口１８内への誘い込みについては、上述及び下述するような方法をとれば、嵌合口１８の天井部をテーパー形状にしなくても十分に誘い込みが可能である。
【００７６】
ここで、図５Ａ〜５Ｅに基づいて、前記回動部材１６の押圧部３６の移動及び回動の仕方について説明する。ここでは、下述するもう一方のコンタクト１４１で回動する場合を例にとった図面である。然し乍ら、以下の説明は、コネクタの接続部がコネクタの嵌合口にある限り、略Ｈ字型、略ｈ字型、又はその他のコネクタにも当てはまるものである。
【００７７】
図５Ａは前記接続対象物と前記コネクタ１０との接続前の状態である。図で右側に見える、前記押圧部３６の下端５４側が前記押受部２０の突出部２６と接続部２４、又は延設部４４との間もしくはハウジング１２（延設部４４の無い場合）との間に位置する。
【００７８】
図５Ｂのように、前記押圧部の操作部を回動（図面の時計回り方向）させると前記押圧部３６が嵌合口１８と反対方向に移動し、前記押圧部３６の下端５４が前記押受部２０の突出部と接続部２４、ハウジング１２若しくは延設部４４との間に挟持される。
【００７９】
図５Ｃのように、前記操作部をさらに回動させると図５Ｂの位置で前記押圧部３６が押圧部３６の中心を回転軸５０として回動する。
【００８０】
図５Ｄのように、前記操作部をさらに回動させると図５Ｃの位置で前記押圧部３６が押圧部３６の中心を回転軸５０として回動し、前記押圧部３６が前記押受部２０と前記接続部２０、前記ハウジング１２若しくは前記延設部４４との間でほぼ垂直になり回転軸５０が前記突出部２６に接した上端５２側に移動する。
【００８１】
図５Ｅのように、前記操作部をさらに回動させると図５Ｄの位置で前記押圧部３６が前記突出部２６に接した上端５２側を中心に回動し、前記押圧部３６を前記突出部２６に引っ掛かった状態に係合させる。
【００８２】
換言すると、前記押圧部３６は最初は移動し、その後回動し、さらに枢動回動を続けると回転軸５０が徐々に変化して、省スペースかつコンパクトな回動（回転）を行なうものである。
【００８３】
つまり、本発明のコネクタ１０、１０１では、前記ＦＰＣ４０等の接続対象物を嵌合口１８内に挿入する際に挿入力の掛からない（所謂、ゼロ・インサーション・フォース（ＺＩＦ））構造で、前記回動部材１６、１６１の押圧部３６をより前記コンタクト１４、１４１の突出部２６側で回動させる（より突出部２６側で前記コンタクト１４、１４１の押受部２０を押し上げる）ことで小さな力で前記回動部材をロックできる構造である。また、前記回動部材１６、１６１の押圧部３６でより前記コンタクト１４、１４１の突出部２６側の押受部２０を押し上げることで高い接触力を得られる構造になっている。
【００８４】
図７Ａから図１０Ｄに基づいて、本発明の別の実施例について説明する。これら実施例の主な構成部品は上述したものと同様で、コネクタ１０１はハウジングとコンタクトと回動部材とを備えている。本実施例の特徴は、２種類のコンタクト１４、１４１をハウジング１２１への挿入方向を交互に変えていわゆる千鳥状に配列している点にあり、１つづつ交互に挿入方向を変えて千鳥に配列することによってピッチの狭小化と低背位化に対応させたものである。前記回動部材１６１は上述したものと同様であり、また、一方の前記コンタクト１４も上述のものと同様であり、説明を省略する。
【００８５】
図７Ａは２種類のコンタクトを千鳥に配置した場合の回動部材が開いた状態の嵌合口側からみた本発明の別のコネクタの斜視図であり、また図７Ｂは接続部側からみた図７Ａのコネクタの斜視図である。図８Ａは２種類のコンタクトを千鳥に配置した場合の回動部材が開いた状態の一方のコンタクト部分で切断した斜視図であり、図８Ｂは図８ＡのコネクタでＦＰＣが挿入され回動部材が閉じた状態の一方のコンタクト部分で切断した斜視図である。図９Ａは２種類のコンタクトを千鳥に配置した場合の回動部材が開いた状態のもう一方のコンタクト部分で切断した本発明の別のコネクタの斜視図であり、図９Ｂは２種類のコンタクトを千鳥に配置した場合のＦＰＣが挿入され回動部材が閉じた状態のもう一方のコンタクト部分で切断した図９Ａのコネクタの斜視図である。図１０Ａはもう一方のコンタクトの下側の接触部に弾性を持たせた場合の断面図であり、図１０Ｂは図１０ＡのコネクタにＦＰＣを挿入した場合の断面図、図１０Ｃは図１０Ａのコネクタに近い他の実施例のコネクタの断面図であり、また図１０Ｄは、図１０ＣのコネクタにＦＰＣが挿入された場合の図である。
【００８６】
もう一方の前記コンタクト１４１も金属製であり、公知技術のプレス加工によって製作されている。材質は、一方の前記コンタクト１４と同様である。もう一方の前記コンタクト１４１にも、図４Ａ及び４Ｂに示すように、一方の前記コンタクト１４と同様に略ｈ字形状と略Ｈ字形状の２つのタイプがある。
【００８７】
図９Ａ及び９Ｂのような略Ｈ字形状をした前記コンタクト１４１は、一端側に前記接続対象物と接触する接触部２２と他端側に前記回動部材１６により押圧される押受部２０と該押受部２０の先端に内側に突出した突出部２６とを有する第１片と、一端側に基板と接続する接続部２４と他端側に支点部３２から第１片の押受部２０に対向するように延設された延設部４４と第１片の接触部２２に対向する位置に接触部２２とを有する第２片と、前記第１片と前記第２片の前記支点部３２とを連結する弾性部３４と、前記接続部２４の近傍に固定部４２とを備えている。前記第１片の前記接触部２２と前記弾性部３４と前記支点部３２と前記接続部２４とを略Ｕ字形状に配置されている。
【００８８】
略ｈ字形状（図示せず）にしたコンタクトは、一端側に前記接続対象物と接触する接触部２２と他端側に前記回動部材１６により押圧される押受部２０と該押受部２０の先端に内側に突出した突出部２６とを有する第１片と、一端側に基板と接続する接続部２４と他端側に支点部３２と第１片の接触部２２に対向する位置に接触部２２とを有する第２片と、前記第１片と前記第２片の前記支点部３２とを連結する弾性部３４と、前記接続部２４の近傍に固定部４２とを備えている。前記第１片の前記接触部２２と前記弾性部３４と前記支点部３２と前記接続部２４とを略Ｕ字形状に配置されている。即ち、本コンタクトは、図９Ａ及び９Ｂの前記コンタクト１４１の支点部３２から延設された延設部４４を削除したものである。
【００８９】
上述した前記コンタクト１４と同様に前記接触部２２は、ＦＰＣ４０又はＦＦＣ等の接続対象物と接触し易いように凸部形状にしており、前記接続部２４は本実施例でも図８Ａ及び図９Ａのように表面実装タイプ（ＳＭＴ）にしているが、ディップタイプでも良い。
【００９０】
前記支点部３２と前記弾性部３４と前記押受部２０とは、前記コンタクト１４と同様に、前記ＦＰＣ４０又はＦＦＣ等の接続対象物が挿入された際に、前記回動部材１６１の押圧部３６が前記コンタクト１４１の押受部２０と前記ハウジング１２１との間若しくは押受部２０と延設部４４との間で回動すると、前記押受部２０が押圧部３６によって押し上げられることで前記コンタクト１４１の支点部３２を支点にし、前記コンタクト１４１の弾性部３４が前記接触部２２側に傾くことによって、前記接触部２２が前記ＦＰＣ４０又はＦＦＣ等の接続対象物側に押圧される。前記支点部３２と前記弾性部３４と前記押受部２０の大きさや形状は、このような作用を果たすために、適宜設計されている。
【００９１】
また、前記コンタクトの押受部２０の先端に突出部２６を設け、回動部材１６１の押圧部３６を図８Ａの矢印Ｅ方向に回動させるとき回動部材１６１の回動に対する反発力が強い為に、回動部材１６１の中央部が図７Ｂの矢印Ｄ方向に膨れてしまうことを防ぐようにしている。ピッチの狭小化による前記回動部材１６１の強度を考慮すると、２種類あるコンタクトの内、一方のコンタクト１４に設けておけば、十分である。前記突出部２６の大きさは、このような役割を果たすことが出来れば如何なる大きさでもよく、回動部材１６１の押圧部３６が引っ掛かる程度に適宜設計する。
【００９２】
ここで、図１０Ａ〜１０Ｄに基づいて、コンタクトの下側部分（第２片）に設ける接触部２２について説明する。納入先の要求又は仕様によってはＦＰＣ４０等の接続対象物は、その接触点を下側接点にする場合がある。図９Ａ及び９Ｂのような剛体では接触安定性が良くない。従って、図１０Ａ〜１０Ｂのように下側の接触部２２に弾性を持たせるようにした方がよい。この目的のためにコンタクトの接触部を図１０Ａ及び１０Ｂのように接触片形状にしている。図１０Ａ及び１０Ｂに示した形状以外にも形状としては、弾性を有するものであれば、如何なるものでもよく、コネクタ１０１の小型化や接触安定性や加工性を考慮して適宜設計している。さらに接触部の先端に突出部を設けても良い。この目的のための形状は、弾性を有し、コネクタ１０１の小型化と接触安定性をもつものであれば良い。
【００９３】
次に、ハウジング１２１について説明する。材質は上述したものと同様であり、ここでは相違点についてのみ説明する。
【００９４】
前記ハウジング１２１は、前記コンタクト１４、１４１の第１片の接触部２２を被覆する天井部を備え、少なくとも両端側には前記接続対象物が不用意に上方向にコジられた際の前記天井部の浮き上がりを防止する防止壁１７が形成されている。該防止壁１７とは嵌合口１８の先端部分をテーパー形状にすることなく、エッジ形状にしたもののことである。
【００９５】
前記ハウジング１２１の前記嵌合口１８側に前記ＦＰＣ４０又は前記ＦＦＣ等の接続対象物を誘導し案内する凹部１９が設けられている。該凹部１９の大きさは、前記ハウジング１２の強度や前記コンタクト１４、１４１の接続性（半田付け性）や前記ＦＰＣ４０の誘い易さを考慮し、前記コンタクト１４１の接続部２４が前記ハウジング１２の凹部１９内から突出しないように適宜設計されている。
【００９６】
ここで、ＦＰＣ４０等の接続対象物の挿入の仕方について説明する。ハウジング１２内にもう一方のコンタクト１４１の接続部２４が前記凹部１９から突出しないように配置されているので、接続対象物はこのコンタクト１４１の該接続部２４によって案内され、接続対象物が嵌合口１８内に容易に導入される。
【００９７】
図１０Ｅ及び１０Ｆは本発明のさらに他の実施例を示す。本実施例では嵌合口１８を断面で示した如く傾斜させている。この傾斜は接続対象物の挿入を容易にするためのものである。実験によるこの傾斜の好適角度は１０ないし２５度である。１５度以下で挿入の容易性の改良が認められず、２５℃以上では高さを減ずる目的に反し、又挿入がむしろ難しくなる。
【００９８】
最後に、ロック部材（図示せず）について説明する。要求仕様や前記ＦＰＣ４０等の接続対象物の保持力を考慮した場合には、前記ロック部材を使用することがある。
【００９９】
前記ロック部材を使用する場合は、まず、接続対象物に係止部を設ける。この係止部は貫通孔や溝や止め孔であってもよい。次に、前記ロック部材には前記係止部と係合する係合部を設ける。前記ロック部材の構造としては、図４Ａ又は４Ｂや図９Ａ又は９Ｂに示したようなコンタクトと同一構造にする。コンタクトをほぼ同一構造にすることで、ロック部材をゼロ・インサーション・フォース（ＺＩＦ）構造にすることができ、接続対象物が不用意にコジられても抜けることがなく、安定した接続を得ることができる。即ち、ロック部材の所定の位置で前記回動部材を回動させることで、前記係合部が前記接続対象物の係止部に係合するようにする。上述したコンタクト１４、１４１、１４２の上側接触部２２に相当する位置に、前記係合部が設けられている。
【産業上の利用可能性】
【０１００】
本発明の活用例としては、携帯電話やノートパソコンやデジタルカメラ等に使用されるコネクタに活用され、特にフレキシブルプリント基板（以下「ＦＰＣ」という）やフレキシブルフラットケーブル（以下「ＦＦＣ」という）等の接続対象物との安定した接続を得るための構造に関するものである。
【図面の簡単な説明】
【０１０１】
【図１Ａ】回動部材が開いた状態の嵌合口側からみた本発明のコネクタの斜視図である。
【図１Ｂ】回動部材が開いた状態の接続部側からみた本発明のコネクタの図１Ａと同じ図である。
【図２Ａ】回動部材が開いた状態で１つのコンタクトに沿って切断した本発明のコネクタの断面図である。
【図２Ｂ】ＦＰＣが挿入され回動部材が閉じた状態で１つのコンタクト部分で切断した本発明のコネクタの断面図である。
【図３】回動部材の斜視図である。
【図４Ａ】２つの接触部を持ったコンタクトの斜視図である。
【図４Ｂ】１つの接触部を持った別のコンタクトの斜視図である。
【図５】Ａ〜Ｅは、回動部材が回動する場合の押圧部と回転軸の移動を説明する説明図である。
【図６】Ａ〜Ｄは、コンタクトをハウジングに装着する場合の説明図である。
【図７Ａ】２種類のコンタクトを交互に反対方向にして千鳥状に配置した場合の回動部材が開いた状態の嵌合口側からみた本発明の別のコネクタの斜視図である。
【図７Ｂ】図７Ａのコネクタを接続部側からみた斜視図である。
【図８Ａ】２種類のコンタクトを交互に反対方向にして千鳥状に配置した場合の回動部材が開いた状態の一方のコンタクト部分で切断した本発明のさらに別のコネクタの断面斜視図である。
【図８Ｂ】図８ＡのコネクタにＦＰＣが挿入され回動部材が閉じた状態の斜視図である。
【図９Ａ】２種類のコンタクトを交互に反対方向にして千鳥状に配置した場合の回動部材が開いた状態のもう一方のコンタクト部分で切断した本発明の別のコネクタの断面斜視図である。
【図９Ｂ】図９ＡのコネクタでＦＰＣが挿入され回動部材が閉じた状態の断面斜視図である。
【図１０Ａ】もう一方のコンタクトの下側の接触部に弾性を持たせた場合の本発明のコネクタの断面図である。
【図１０Ｂ】図１０Ａと同様の図でＦＰＣを挿入した場合の断面図である。
【図１０Ｃ】図１０Ａと同様の他の実施例の断面図である。
【図１０Ｄ】図１０ＣのコネクタにＦＰＣを挿入した同様の図である。
【図１０Ｅ】図１０Ａと同様の図であるが、嵌合口を除いたさらに他の実施例の断面図である。
【図１０Ｆ】図１０ＥにＦＰＣを挿入した同様の図である。
【図１１】スライダーが挿入される前の嵌合口側からみた公知例の従来のコネクタの斜視図である。
【図１２Ａ】スライダーが挿入される前のあるコンタクト部分で切断した従来の公知例のコネクタの断面斜視図である。
【図１２Ｂ】図１２Ａと同様の図で、ＦＰＣが挿入されスライダーが挿入された状態の断面斜視図である。
【図１３】本発明により、保護壁を設けた場合の保持力の増加状況を示す図表である。
【符号の説明】
【０１０２】
１０、１０１、６０          コネクタ
１２、１２１、６２          ハウジング
１４、１４１、１４２、６４  コンタクト
１６、１６１                回動部材
１７                        防止壁
１８                        嵌合口
１９                        凹部
２０                        押受部
２２                        接触部
２４                        接続部
２６                        突出部
２８                        軸
３０                        係止孔
３２                        支点部
３４                        弾性部
３６、６８                  押圧部
３８                        挿入溝
４０                        ＦＰＣ
４２                        固定部
４４                        延設部
４６                        係合部
４８                        係止部
５０                        回転軸
５２                        上端
５４                        下端
６６                        スライダー
７０                        受け部
７２                        スリット
７４                        装着部
７６                        固定具
【図１Ａ】
2008510265.tif 000004
【図１Ｂ】
2008510265.tif 000005
【図２Ａ】
2008510265.tif 000006
【図２Ｂ】
2008510265.tif 000007
【図３】
2008510265.tif 000008
【図４Ａ】
2008510265.tif 000009
【図４Ｂ】
2008510265.tif 000010
【図５Ａ】
2008510265.tif 000011
【図５Ｂ】
2008510265.tif 000012
【図５Ｃ】
2008510265.tif 000013
【図５Ｄ】
2008510265.tif 000014
【図５Ｅ】
2008510265.tif 000015
【図６Ａ】
2008510265.tif 000016
【図６Ｂ】
2008510265.tif 000017
【図６Ｃ】
2008510265.tif 000018
【図６Ｄ】
2008510265.tif 000019
【図７Ａ】
2008510265.tif 000020
【図７Ｂ】
2008510265.tif 000021
【図８Ａ】
2008510265.tif 000022
【図８Ｂ】
2008510265.tif 000023
【図９Ａ】
2008510265.tif 000024
【図９Ｂ】
2008510265.tif 000025
【図１０Ａ】
2008510265.tif 000026
【図１０Ｂ】
2008510265.tif 000027
【図１０Ｃ】
2008510265.tif 000028
【図１０Ｄ】
2008510265.tif 000029
【図１０Ｅ】
2008510265.tif 000030
【図１０Ｆ】
2008510265.tif 000031
【図１１】
2008510265.tif 000032
【図１２Ａ】
2008510265.tif 000033
【図１２Ｂ】
2008510265.tif 000034
【図１３】
2008510265.tif 000035
【国際調査報告】
2008510265.tif 000036
2008510265.tif 000037